(57)【要約】【課題】リールとしての動作の軽快感を低下させることなく、図柄を表示する面積を拡大するとともに、図柄の切り換え動作を多彩にする。【解決手段】複数の小径リール４０１、４０２…４０６は、ステッピングモータ５５１により回転される大径リール３０１に回転自在に支持された状態で、複数種類の図柄をリール図柄としてそれぞれの外周面４２０に個別に表示し、ステッピングモータ５６１は、前記大径リール３０１の回転から独立した位置前記複数の小径リール４０１、４０２…４０６に回転力を伝達して前記大径リール３０１に対して前記複数の小径リール４０１、４０２…４０６を回転させるので、リールとしての動作の軽快感を低下させることなく、サブリールの図柄を表示する面積を拡大するとともに、サブリールによる図柄の切り換え動作を多彩にすることができる。【選択図】図５
2008228948.tif 000002
【特許請求の範囲】
【請求項１】
複数種類の図柄をリール図柄としてそれぞれの外周面に個別に表示する複数の小径リールと、
円輪状に形成され回転軸を中心とする円周上に前記複数の小径リールを並べて回転自在に支持する大径リールと、
前記大径リールの回転軸を中心にして当該大径リールを回転させる大径リール回転駆動手段と、
前記大径リール回転駆動手段が取り付け固定されるフレームと、
動力源が前記大径リールの回転から独立して前記フレームに取り付け固定され、前記動力源から前記複数の小径リールに回転力を伝達して前記大径リールに対して前記複数の小径リールを回転させる小径リール回転駆動手段と、
を備えることを特徴とする演出表示装置。
【請求項２】
前記複数の小径リールは、前記外周面に対して固定した回転軸を有し、
前記大径リールは、前記複数の小径リールの前記回転軸を回転自在に支持する軸受けを有し、
前記小径リール回転駆動手段は、その本体が前記フレームに固定され当該本体に対して回転軸を回転駆動する前記動力源としてのモータと、当該モータの前記回転軸に取り付け固定された太陽ギアと、前記複数の小径リールの前記回転軸にそれぞれ取り付け固定され、前記太陽ギアと咬合する複数の遊星ギアを備えることを特徴とする請求項１に記載の演出表示装置。
【請求項３】
前記大径リール回転駆動手段及び前記小径リール回転駆動手段を制御することで、前記大径リール及び前記太陽ギアを同期して回転させるとともに、前記大径リール及び前記太陽ギアを独立して回転させる制御回路を備えることを特徴とする請求項２に記載の演出表示装置。
【請求項４】
環状に形成され前記大径リールの複数の小径リールよりも外周側に配置した状態で前記大径リールに固着されるとともに、複数の小径リールをそれぞれ外周側に露出される複数の窓部を有する環状部材を更に備えることを特徴とする請求項１〜３の何れか１項に記載の演出表示装置。
【請求項５】
環状部材は、隣り合う前記窓部の間の外周面に、リール図柄を表示していることを特徴とする請求項４の演出表示装置。
【請求項６】
請求項１〜５の何れか１項に記載の演出表示装置と、
抽選に基づいて遊技媒体を払い出す遊技媒体払出手段とを備えることを特徴とする遊技機。
【発明の詳細な説明】
【技術分野】
【０００１】
本発明は、複数種類の図柄を切り換えて表示する演出表示装置及びこの演出表示装置を用いた遊技機に関する。
【背景技術】
【０００２】
従来、回胴式遊技機としてスロットマシンが知られている。一般的なスロットマシンは、前扉に形成された透明な表示窓を通して筐体内の３列のリールが目視される。各リールの周面には複数種類の図柄が配列されて描かれており、リールを回転させることで遊技の入賞又はハズレに係る図柄が変動表示される。また、スロットマシンには、リールを一斉に回転させるスタートレバーと、回転する各リールを個別に停止させるためのストップボタンが設けられ、スタートレバーが傾倒操作されて回転を開始したリールは、ストップボタンの押圧操作を契機にそれぞれ制動されて停止する。そして、各リールが表示する図柄の組合せが有効ライン上に揃うと入賞が確定し、入賞図柄の組合せに応じた数の遊技媒体（メダル）を配当するように構成されている。
【０００３】
また、従来のスロットマシンとしては、演出の趣向性を向上させる目的から、メインのリールの他に演出用リールとしてサブリールを備えるものも実用化されていた（例えば特許文献１参照）。
【０００４】
【特許文献１】特開２００６−２７２０２１号公報
【発明の開示】
【発明が解決しようとする課題】
【０００５】
しかしながら従来のスロットマシンのサブリールは、リールの周面に形状が異なる種類を含む図柄が複数印刷して表示しているだけであり、図柄を表示する面積が小さく、図柄の切り換え動作が単調であるので、十分な演出効果が得られていなかった。
【０００６】
本発明は、こうした従来の問題に鑑みてなされたものであり、リールとしての動作の軽快感を低下させることなく、図柄を表示する面積を拡大するとともに、図柄の切り換え動作を多彩にすることができるようにした演出表示装置及び遊技機を提供することを目的としている。
【課題を解決するための手段】
【０００７】
上述した課題を解決するため、請求項１に記載の発明は、演出表示装置であって、複数種類の図柄をリール図柄としてそれぞれの外周面に個別に表示する複数の小径リールと、円輪状に形成され回転軸を中心とする円周上に前記複数の小径リールを並べて回転自在に支持する大径リールと、前記大径リールの回転軸を中心にして当該大径リールを回転させる大径リール回転駆動手段と、前記大径リール回転駆動手段が取り付け固定されるフレームと、動力源が前記大径リールの回転から独立して前記フレームに取り付け固定され、前記動力源から前記複数の小径リールに回転力を伝達して前記大径リールに対して前記複数の小径リールを回転させる小径リール回転駆動手段とを備えることを特徴とする。
【０００８】
請求項２に記載の発明は、請求項１に記載の演出表示装置であって、前記複数の小径リールは、前記外周面に対して固定した回転軸を有し、前記大径リールは、前記複数の小径リールの前記回転軸を回転自在に支持する軸受けを有し、前記小径リール回転駆動手段は、その本体が前記フレームに固定され当該本体に対して回転軸を回転駆動する前記動力源としてのモータと、当該モータの前記回転軸に取り付け固定された太陽ギアと、前記複数の小径リールの前記回転軸にそれぞれ取り付け固定され、前記太陽ギアと咬合する複数の遊星ギアを備えることを特徴とする。
【０００９】
請求項３に記載の発明は、請求項２に記載の演出表示装置であって、前記大径リール回転駆動手段及び前記小径リール回転駆動手段を制御することで、前記大径リール及び前記太陽ギアを同期して回転させるとともに、前記大径リール及び前記太陽ギアを独立して回転させる制御回路を備えることを特徴とする。
【００１０】
請求項４に記載の発明は、請求項１〜３の何れか１項に記載の演出表示装置であって、環状に形成され前記大径リールの複数の小径リールよりも外周側に配置した状態で前記大径リールに固着されるとともに、複数の小径リールをそれぞれ外周側に露出される複数の窓部を有する環状部材を更に備えることを特徴とする。
【００１１】
請求項５に記載の発明は、請求項４に記載の演出表示装置であって、環状部材は、隣り合う前記窓部の間の外周面に、リール図柄を表示していることを特徴とする。
【００１２】
請求項６に記載の発明は、遊技機であって、請求項１〜５の何れか１項に記載の演出表示装置と、抽選に基づいて遊技媒体を払い出す遊技媒体払出手段とを備えることを特徴とする。
【００１３】
請求項１に記載の発明によれば、複数の小径リールは、大径リール回転駆動手段により回転される大径リールに回転自在に支持された状態で、複数種類の図柄をリール図柄としてそれぞれの外周面に個別に表示し、小径リール回転駆動手段は、前記大径リールの回転から独立した位置に動力源を配置し前記複数の小径リールに回転力を伝達して前記大径リールに対して前記複数の小径リールを回転させるので、リールとしての動作の軽快感を低下させることなく、図柄を表示する面積を拡大するとともに、図柄の切り換え動作を多彩にすることができる。
【００１４】
請求項２に記載の発明によれば、大径リール回転駆動手段を例えば電動モータにより容易に実現できるとともに、小径リール回転駆動手段を例えば電動モータと太陽ギアと複数の遊星ギアとにより容易に実現できる。
【００１５】
請求項３に記載の発明によれば、制御回路が前記大径リール及び前記太陽ギアを同期して回転させることで、前記大径リールに対する前記複数の小径リールの回転を停止させた状態で前記大径リールを回転させることができ、制御回路が前記太陽ギアを回転させ前記大径リールの停止させることで、前記大径リールを回転を停止させた状態で前記大径リールに対して前記複数の小径リールを回転させることができ、制御回路が前記大径リールを回転させ前記太陽ギアを停止させることで、前記大径リールを回転させると同時に前記大径リールに対して前記複数の小径リールの回転させることができるので、制御回路による簡単な制御で図柄の切り換え動作を多彩にすることができる。
【００１６】
請求項４に記載の発明によれば、前記大径リールの複数の小径リールよりも外周側に環状部材を配置し、環状部材の複数の窓部から複数の小径リールを露出させるようにしたので、複数の小径リールのリール図柄を強調できる。
【００１７】
請求項５に記載の発明によれば、環状部材は、隣り合う前記窓部の間の外周面に、リール図柄を表示したので、図柄を表示する面積をさらに拡大できる。
【００１８】
請求項６に記載の発明によれば、抽選に基づいて遊技媒体を払い出すに遊技機に用いられる演出表示装置おいて、リールとしての動作の軽快感を低下させることなく、図柄を表示する面積を拡大するとともに、図柄の切り換え動作を多彩にすることができる。
【発明の効果】
【００１９】
本発明の演出表示装置及び遊技機によれば、リールとしての動作の軽快感を低下させることなく、図柄を表示する面積を拡大するとともに、図柄の切り換え動作を多彩にすることができる。
【発明を実施するための最良の形態】
【００２０】
以下、本発明に係る演出表示装置及び遊技機の好適な一実施形態をスロットマシンを例に図面を参照して説明する。なお、図１はスロットマシン１の外観構造を表した斜視図である。図２はスロットマシン１の外観構造を表した正面図である。図３は前扉３を開放した状態におけるスロットマシン１の内部構造を表した図である。図４はスロットマシン１の制御システムを表したブロック図である。
【００２１】
図１において、スロットマシン１は、前方に開口を有する略矩形状の箱体である外装筐体２と、当該外装筐体２に対して蝶番機構により回動可能に取り付けられることで前記開口を開閉可能な状態で閉塞させる前扉３とを備えている。
【００２２】
図１及び図２において、前扉３の前面側は、上部パネル部４と下部パネル部５に略区分けされ、これらは視覚効果を高めてデザインされたいわゆる化粧板として、硬質プラスチックにより一体的に形成されている。更に、下部パネル部５の下方には、入賞時に払い出されるメダル（遊技媒体）を貯留するメダル受皿６ａが一体的に形成されたメダル受皿部６が設けられている。
【００２３】
また、上部パネル部４と下部パネル部５との間には、遊技者側に突出し、ゲーム操作を行うためのスイッチ類が配置されている操作卓７が一体的に形成されている。なお、上部パネル部４、操作卓７、下部パネル部５、及びメダル受皿部６は、遊技者側に面し、これらによって「前面パネル部」が構成される。
【００２４】
上部パネル部４の中央には、硬質プラスチック板等で形成されたパネル面４１が設けられている。パネル面４１のほぼ中央には略長方形の透明な表示窓４２が形成されている。スロットマシン１は、このような表示窓４２を通して外装筐体２内に設けられているメインリールユニット１００の３個のリール１０１ａ、１０１ｂ、１０１ｃが目視されるようになっている。パネル面４１の表示窓４２の右隣には、略四角形の透明な表示窓４３が形成されている。
【００２５】
スロットマシン１は、このような表示窓４３を通して外装筐体２内に設けられているサブリールユニット３００の大径リール３０１及び複数の小径リール４０１、４０２…４０６（図５参照）が目視可能になっている。
【００２６】
ここで、外装筐体２内に設置されているメインリールユニット１００は、円筒形状のリール１０１ａ、１０１ｂ、１０１ｃがそれぞれ回転軸方向に並べられ、各リール１０１ａ、１０１ｂ、１０１ｃの外周面にはその周方向に沿って複数種類の図柄が描かれている。遊技者は、表示窓４２を通して３列のリールに描かれたそれぞれ上下方向３個の図柄を目視できる。
【００２７】
上部パネル部４の上部には、高輝度発光ダイオード等のランプ類を内蔵する演出用照明部４６と、ゲームに係る効果音を発生させるスピーカを内蔵する演出用放音部４８ａ、４８ｂが配置されている。
【００２８】
スロットマシン１は、ゲームの進行に応じて上述した演出用照明部４６等が点灯又は点滅することで、ゲームにおける視覚的な演出効果を高めるように形成されている。
【００２９】
また、演出用放音部４８ａ、４８ｂの間には、透明な硬質プラスチック板等が嵌め込まれて形成された表示窓４９ａに面して遊技機の演出装置として液晶表示装置４９が配置されている。なお、液晶表示装置４９は、ゲームの演出に係る映像やゲーム（遊技）に関する情報を主に表示する。
【００３０】
操作卓７の上面右側にはメダル投入部７１が設けられている。メダル投入部７１はメダルを投入するためのメダル投入口７２を有する。また、当該上面の左側には、押しボタンスイッチである２個のベットボタン７３、７４が設けられている。
【００３１】
ベットボタン７３、７４はスロットマシンの１ゲームに賭けるメダルの枚数を提示するためのボタンスイッチである。本スロットマシン１においては、ゲームを開始する際に、ベットボタン７３が押圧操作されることで、貯留されているメダルから１枚のメダルがゲームに対して賭けられる。同様に、ベットボタン７４が押圧操作されることで３枚の当該ゲームにメダルが賭けられる。なお、ベットボタン７４は、最大枚数のメダルを賭けることから、特に「マックスベットボタン」と呼ばれている。
【００３２】
操作卓７の前面左側には、リール１０１ａ、１０１ｂ、１０１ｃの回転開始を指示するためのスタートレバー７５が設けられている。スタートレバー７５は、先端に球形の操作ノブを有する揺動可能な操作旱を備え、操作旱が傾倒操作されるとオン、操作旱から手が離されるとスプリングの付勢力によって自動的に元の位置に戻ってオフ状態となるスイッチユニットで形成されている。
また、操作卓７の中央には、各リール１０１ａ、１０１ｂ、１０１ｃの回転停止をそれぞれ指示するためのストップボタン７６ａ、７６ｂ、７６ｃが各リールの配列に対応して並設されている。
【００３３】
さらに、操作卓７の前面の左隅には、ゲームに賭けられたメダルをキャンセルして払い出させることを指示するとともに、後述するメダルクレジット手段２０３（図４参照）が内部貯留したメダルを精算して払い出させることを指示するための精算ボタン７７が設けられている。
操作卓７の前面右側には、前扉３を開錠するための鍵が挿入される鍵穴７８が設けられている。スロットマシン１の管理者等が鍵穴７８に所定の鍵を挿入して開錠操作すると、蝶番機構によって外装筐体２に取り付けられている前扉３を前方へ開くことができ、また前扉３を外装筐体２側に閉じると、自動的にこれらを施錠するようになっている。
【００３４】
下部パネル部５には、スロットマシン１のモデルタイプを遊技者へ認識させる等のため、登場キャラクターの絵などを表示する表示パネル５１が設けられている。
下部パネル部５の下側に配置されたメダル受皿部６には、入賞時にメダルを排出するメダル払出口６１と、払い出されたメダルを貯留するメダル受皿６ａと、演出効果音を発生させるスピーカを内蔵する左右の演出用放音部６２ａ、６２ｂとが配置されている。
【００３５】
次に、図３を参照して、外装筐体２の内部構造と前扉３の裏面構造とを説明する。
図３において、外装筐体２の前方には開口８を有している。この開口８内の上部には、本実施形態の要部となる左右のブラケット部材８１、８２を介して硬質プラスチックの基板ケース８０に収納された主制御基板２０が取り付けられている。主制御基板２０は、スロットマシン１の全体動作を集中制御するＣＰＵ（マイコン）を備えている。
【００３６】
外装筐体２内の中央左寄りには、リール１０１ａ、１０１ｂ、１０１ｃを備えるメインリールユニット１００が設けられている。外装筐体２内のメインリールユニット１００の右隣には、サブリールユニット３００が設けられている。
【００３７】
メインリールユニット１００は、前扉３が外装筐体２側に閉じられると前扉３の表示窓４２にリール１０１ａ、１０１ｂ、１０１ｃが対向するように、所定フレームに位置決めされて取り付けられている。なお、各リール１０１ａ、１０１ｂ、１０１ｃは、それぞれに内蔵されたステッピングモータによって回転駆動される。
【００３８】
サブリールユニット３００は、前扉３が外装筐体２側に閉じられると前扉３の表示窓４３に大径リール３０１が対向するように、所定フレームに位置決めされて取り付けられている。
【００３９】
また、メインリールユニット１００の上部には、各リールを回転駆動する上記ステッピングモータへ４相の駆動パルス信号を送出する回胴装置基板が取り付けられており、主制御基板２０が回胴装置基板に回胴駆動（励磁）パルスデータを送出することで、各リールの回転と制動及び停止の制御を行っている。
メインリールユニット１００の下方には、ホッパ装置２１と主電源装置２３が設けられている。サブリールユニット３００の下方には、ホッパ装置２１から溢れたメダルを収容するための補助貯留部２２が設けられている。
【００４０】
主電源装置２３の内部の右側には、いわゆる配電盤に相当する電源装置基板２４が設けられている。更に、外装筐体２の上部右側の内壁に、遊技場に設置されている「ホールコンピュータ」と呼ばれる管理用コンピュータと接続可能な外部集中端子基板２５が取り付けられている。
【００４１】
次に、前扉３の裏面側上部には、発光駆動部３０が配置されている。発光駆動部３０は、演出用照明部４６の光源である高輝度の発光ダイオードが複数配列され、この発光ダイオードを発光駆動する駆動回路が実装されている。
また、前扉３の裏面側上部には、上述の演出用放音部４８ａ、４８ｂに対向してスピーカ３２ａ、３２ｂが取り付けられている。また、スピーカ３２ａ、３２ｂの間には、液晶表示装置４９が取り付けられている。更に、液晶表示装置４９の裏面側には、硬質プラスチックの基板ケース９０に収納されたサブ制御基板４０が取り付けられている。
主制御基板２０及びサブ制御基板４０は、スロットマシン１の作動を制御する制御基板である。
【００４２】
サブ制御基板４０の下方には、リール１０１ａ、１０１ｂ、１０１ｃを目視させるための透明な表示窓４２が形成されたパネル板５０が配置され、表示窓４２の下方には、前面側のスタートレバー７５（図１参照）及びストップボタン７６ａ、７６ｂ、７６ｃ（図１参照）等の操作スイッチ類の出力信号を主制御基板２０へ転送する中継基板として機能する中央表示基板３３が設けられている。
【００４３】
中央表示基板３３の下方には、メダル選別装置３４が取り付けられている。メダル選別装置３４は、メダル投入部７１に投入されたメダルの適否を判別し振り分ける装置である。また、メダル選別装置３４はメダルセンサを内蔵しており、ゲームの待機状態等において正規のメダルが投入され、メダルセンサがこのメダルを検出することによって、メダル投入の受け付けを示す信号を主制御基板２０へ送出する。
【００４４】
メダル選別装置３４の装置本体の下方には、メダル選別装置３４によって振り分けられた正規のメダルを外装筐体２内に設けられているホッパ装置２１へ案内するガイド部材３５と、メダル選別装置３４により排除されたメダル（又は異物）をメダル払出口６１へ案内するガイド部材３６が設けられている。また、前扉３の裏面側下部には、ホッパ装置２１から排出されたメダルをメダル払出口６１へ案内するガイド部材３７が設けられている。更に、メダル払出口６１に隣接して、上述した演出用放音部６２ａ、６２ｂに対向するスピーカ３８ａ、３８ｂが取り付けられている。
【００４５】
なお、スロットマシン１全体の動作は、外装筐体２側に設けられている主制御基板２０によって統括制御されており、サブ制御基板４０は、液晶表示装置４９による演出映像の表示制御、及び演出用放音部４８ａ、４８ｂ、６２ａ、６２ｂのスピーカ３２ａ、３２ｂ、３８ａ、３８ｂを使った演出効果音制御など、ゲームの演出に係る制御を主に行っている。
【００４６】
次に、図４のブロック図を参照して、スロットマシン１に設けられている制御システムについて説明する。
【００４７】
図４において、主制御基板２０は、ＣＰＵ２００と、記憶部２０１とを備えている。
記憶部２０１は、ＲＯＭ、ＲＡＭ等の半導体メモリによって構成され、スロットマシンゲーム用のシステムプログラム２０２が予め記憶されている。主制御基板２０は、記憶部２０１に記憶されたシステムプログラム２０２に従ってＣＰＵ２００が演算処理を実行することで、スロットマシン１全体の動作を統括制御している。
【００４８】
また、記憶部２０１にはメダルクレジット手段２０３が設けられている。メダルクレジット手段２０３はスロットマシン１が内部貯留するメダルの数であるクレジットをメモリに記憶する。
【００４９】
主制御基板２０には、ベットボタン７３、７４、スタートレバー７５、ストップボタン７６ａ、７６ｂ、７６ｃ、精算ボタン７７等の操作スイッチ類、メダル選別装置３４のメダルセンサ３４ａ、ホッパ装置２１等のメダル払出装置、及びサブ制御基板４０等がハーネスを介して接続されている。
主制御基板２０は、前記操作スイッチ類やメダル選別装置３４のメダルセンサ３４ａからの出力信号によりゲームに係る操作を検出する。
主制御基板２０は、動作モードがメダルベット待機状態となっている場合において、メダルセンサ３４ａがメダルを検出した場合、検出したメダルをゲームの賭数に加算する。
【００５０】
また、主制御基板２０は、動作モードがメダルクレジット入力待機状態となっている場合において、メダルセンサ３４ａがメダルを検出した場合、検出したメダルをメダルクレジット手段２０３のクレジットに加算する。ここで、メダルベット待機状態とは、１つのゲームが終了した後、当該ゲームにメダルが賭けられるのを待機している状態のことを示している。メダルクレジット入力待機状態とは、当該ゲームにメダルが賭けられた後、メダルクレジット手段２０３の前記クレジット数が最大値（５０）になるまでの状態のことを示している。
【００５１】
主制御基板２０は、各リール１０１ａ、１０１ｂ、１０１ｃに設けられる基準位置センサ１２０ａ、１２０ｂ、１２０ｃの検出信号を入力し、各リールの基準となる回転位置を把握しながら、回胴装置基板１３０に所定の回胴駆動パルスデータを送出する。回胴装置基板１３０は、主制御基板２０からの回胴駆動パルスデータに従って各ステッピングモータ１１０ａ、１１０ｂ、１１０ｃを回転駆動することで、各リール１０１ａ、１０１ｂ、１０１ｃの回転及び停止の動作制御を行っている。
【００５２】
主制御基板２０は、入賞が確定した場合等において、ホッパ装置２１を制御することで、所定数のメダルをメダル受皿６ａに払い出す。
また、主制御基板２０は、精算ボタン７７が操作された場合、ゲームに賭けられたメダルをキャンセルしてホッパ装置２１に払い出させるとともに、メダルクレジット手段２０３（図４参照）が内部貯留したメダルを精算してホッパ装置２１に精算前のクレジット数のメダルを払い出させる。
【００５３】
サブ制御基板４０は、主制御基板２０からの制御信号に基づいて液晶表示装置４９（図１参照）、演出用照明部４６（図１参照）、演出用放音部４８ａ、４８ｂ、６２ａ、６２ｂ（図１参照）のスピーカ３２ａ、３２ｂ、３８ａ、３８ｂ等の演出装置２１０を制御駆動することで、遊技者の視覚や聴覚に訴える演出をゲームの進行に応じて行っている。
【００５４】
一方、主制御基板２０の記憶部２０１には、入賞抽選テーブル２０４及び内部抽選フラグ２０５が記憶されている。主制御基板２０には、乱数値のデータを発生する乱数発生装置２０６がＣＰＵ２００に接続した状態で設けられている。例えばＣＰＵ２００は、スタートレバー７５の操作を検出した時点で乱数発生装置２０６から乱数値を取得し、入賞抽選テーブル２０４を参照することで、得られた乱数値に割り当てられた入賞役またはハズレを抽選する。そして、ＣＰＵ２００は、乱数値に対応する入賞役が存在すると、それを当該ゲームの入賞役として抽選結果を当選にし、当該入賞役を記憶部２０１の内部抽選フラグ２０５に記憶する。ここでは、かかる入賞役の抽選方法を「内部抽選」と呼んでいる。
【００５５】
次に、スロットマシン１におけるゲーム動作の概要を説明する。
【００５６】
スロットマシン１は、先のゲームにおいて入賞しメダルの配当が完了した時、又は先のゲームにおいてハズレが確定すると待機状態となる。この待機状態においては、当該状態を遊技者に示唆するとともにゲーム操作を促す待機モードの演出が液晶表示装置４９等によって行われる。次に、遊技者がメダル投入部７１にメダルを投入し、もしくは、何れかのベットボタン７３、７４を押圧操作することで、スロットマシン１は、内部に貯留したメダル（クレジット）から当該ゲームに所定枚数のメダルが賭けられゲームを準備する。
【００５７】
ゲーム準備の状態でスタートレバー７５が傾倒操作されゲームが開始されると、主制御基板２０は、３個のリール１０１ａ、１０１ｂ、１０１ｃを一斉に回転させ始めるとともに、上述した内部抽選を実行する。内部抽選の結果は、内部抽選フラグ２０５に記憶される。
【００５８】
次に、遊技者により何れかのストップボタン７６ａ、７６ｂ、７６ｃが押圧操作されることで、リール１０１ａ、１０１ｂ、１０１ｃが停止し、主制御基板２０は、停止した各リールが表示する図柄と上述の内部抽選フラグ２０５に対応する入賞役に係る図柄の組合せとが一致しているかどうか判定する。
【００５９】
これら図柄の組合せが一致し役への入賞が確定すると、スロットマシン１は、主制御基板２０によりメダルクレジット手段２０３の制御を行い、内部貯留しているメダルのクレジット数が所定の数になるまで、当該役の種類に応じて予め決められた配当数のメダルをクレジット数に加算する。さらに、スロットマシン１は、前記配当数と前記クレジット数の加算結果が前記所定の数を超過すると、この超過した数のメダルをメダル受皿６ａへ払い出す。
【００６０】
次に、図５乃至図１１を参照して本実施形態の要部となるサブリールユニット３００について説明する。
【００６１】
図５はサブリールユニット３００の分解斜視図である。図６はサブリールユニット３００の斜視図である。図７はサブリールユニット３００の正面側から見た断面図である。図８は大径リール３０１及びその周辺部の後方右斜め下から見た斜視図である。図９は大径リール３０１及びその周辺部の後方左斜め下から見たから見た斜視図である。図１０はサブリールユニット３００を制御する回路系統を示すブロック図である。図１１は複数の小径リール４０１、４０２…４０６の配置を説明する説明図である。
【００６２】
図５において、サブリールユニット３００は、大径リール３０１と、複数の小径リール４０１、４０２…４０６と、フレーム５０１と、ステッピングモータ５５１、５６１と、連結部材５７１と、太陽ギア５８１と、遊星ギア５９１、５９２…５９６と、フォトセンサ６０１、６０２と、ネジ６１１、６１２…６２１とから構成されている。
【００６３】
フレーム５０１は、フレーム本体５１１と側面板５１２とから構成されている。
フレーム本体５１１は、上壁５１３、底壁５１４及び左壁５１５を例えばジェラルミンによって一体的に形成したものである。
【００６４】
上壁５１３の下面の右前側角部及び右後側角部には、それぞれネジ止部５２１、５２２が下方に突出して形成されている。ネジ止部５２１、５２２には、それぞれネジ６１１、６１２のネジ部が螺入されるネジ穴が形成されている。
【００６５】
底壁５１４の上面の右前側角部及び右後側角部には、それぞれネジ止部５２３、５２４が上方に突出して形成されている。ネジ止部５２３、５２４には、それぞれネジ６１３、６１４のネジ部が螺入されるネジ穴が形成されている。
【００６６】
左壁５１５の右面の上下の中間部には、右方向に突出する段部５２５が形成されている。ステッピングモータ５５１は、ドラム形状に形成されたカバーケース５５２の一方の平面部側から回転軸５５３を突出させた構造になっている。カバーケース５５２の他方の平面部側には、ネジ止め部５５４が外周に突出して設けられている。ステッピングモータ５５１は、ネジ止め部５５４が左壁５１５の段部５２５にネジ止め固定されることで、回転軸５５３の先端が右方向へ向くように配置する。
【００６７】
カバーケース５５２の他方の平面部からは、左壁５１５に形成された貫通孔５２６（図７参照）を介してハーネス５５５が延出するようになっている。
一方、左壁５１５の前辺の中央から若干上寄りの位置には、フォトセンサ６０１用のネジ止め部５２７が形成されている。ネジ止め部５２７には、ネジ６１５、６１６のネジ部が挿入されるネジ孔が形成されている。
【００６８】
フォトセンサ６０１は、略コ字形状の遮光型フォトセンサであり、コ字の開口部分の隙間６０３に後述の遮光片３５７が存在するときに、ハーネス６０４を介して検出信号を出力するものである。
より詳しく説明すると、フォトセンサ６０１は、その隙間６０３の図中前側と後側にそれぞれ発光素子と受光素子を有しており、発光素子の光が受光素子に入射するように双方の素子が向かい合った構造になっている。
【００６９】
フォトセンサ６０１は、受光発光素子間に遮光片３５７が挿入されると、それぞれ受光素子への入光が無くなり、ハーネス６０４から検出信号の出力を行う。また、フォトセンサ６０１には、ネジ止め部６０５が設けられている。ネジ止め部６０５には、ネジ６１５、６１６のネジ部が挿入される貫通孔が形成されている。
【００７０】
ネジ６１５、６１６は、ネジ部がフォトセンサ６０１のネジ止め部６０５の貫通孔に挿入し、ネジ止め部５２７のネジ孔に螺入して締め付けられることで、フォトセンサ６０１をネジ止め部５２７にネジ止め固定する。
【００７１】
側面板５１２は、例えばジェラルミンを板状に形成したものである。
側面板５１２の四隅近傍には、ネジ６１１、６１２、６１３、６１４のネジ部が挿入される貫通孔５３１、５３２、５３３、５３４が形成されている。
側面板５１２の中央には、ステッピングモータ５６１のカバーケース５６２が挿入される貫通部５３５（図７参照）が形成されている。
【００７２】
ステッピングモータ５６１は、ドラム形状に形成されたカバーケース５６２（図７参照）の一方の平面部側から回転軸５６３（図７参照）を突出させた構造になっている。カバーケース５６２の他方の平面部側には、ネジ止め部５６４が外周に突出して設けられている。ステッピングモータ５６１は、カバーケース５６２が側面板５１２の貫通部５３５（図７参照）に挿入された状態でネジ止め部５６４が側面板５１２の右面にネジ止固定されることで、回転軸５６３（図７参照）の先端が左方向に向くように配置される。
【００７３】
一方、側面板５１２の前辺の中央から若干上寄りの位置には、フォトセンサ６０１用のネジ止め部５３７が形成されている。
ネジ止め部５３７には、ネジ６１７、６１８のネジ部が挿入されるネジ孔が形成されている。
【００７４】
フォトセンサ６０２は、略コ字形状の遮光型フォトセンサであり、コ字の開口部分の隙間６０６に後述の遮光片３５７が存在するときに、ハーネス６０７を介して検出信号を出力するものである。
フォトセンサ６０２には、ネジ止め部６０８が設けられている。ネジ止め部６０８には、ネジ６１７、６１８のネジ部が挿入される貫通孔が形成されている。
【００７５】
ネジ６１７、６１８は、ネジ部がフォトセンサ６０２のネジ止め部６０８の貫通孔に挿入し、ネジ止め部５３７のネジ孔に螺入して締め付けられることで、フォトセンサ６０２をネジ止め部５３７にネジ止め固定する。
【００７６】
大径リール３０１は、右側及び左側の円輪部３０２、３０３により構成されている。
右側の円輪部３０２は、ハブ部３１０と、複数本のスポーク部３１１、３１２…３１６と、環状の外リング部３２０をポリカーカーボネート等の高い強度と軽量性を有する素材で一体的に形成したものである。
【００７７】
ハブ部３１０の中心には、ネジ６２１のネジ部が挿入される貫通孔３２１が形成されている。ハブ部３１０の右側面には嵌合部３２２が形成されている。
複数本のスポーク部３１１、３１２…３１６は、ハブ部３１０を中心にして等間隔で放射状に延びている。スポーク部３１３、３１６の基端近傍には、ネジ孔３２３、３２４がそれぞれ形成されている。ネジ孔３２３、３２４には、ネジ６２０、６２１のネジ部が螺入される。
【００７８】
外リング部３２０は、スポーク部３１１、３１２…３１６の先端部分に接続されハブ部３１０の中心から同心円状に形成されている。
スポーク部３１１、３１２…３１６の外リング部３２０の近傍の位置には、小径リール４０１、４０２…４０６の左側の回転軸４１１（図８参照）をそれぞれ軸支する軸受用貫通孔３３１、３３２…３３６（図８参照）がそれぞれ形成されている。
【００７９】
小径リール４０１、４０２…４０６は、回転軸４１１（図９参照）と、筒状部４１２（図９参照）と、右側面部４１３（図８参照）とをポリカーカーボネート等の高い強度と軽量性を有する素材で形成したものである。
【００８０】
図８に示すように、筒状部４１２の右端は、平面板状に形成された右側面部４１３により閉塞されている。
右側面部４１３の中心部には回転軸４１１（図９参照）が左右に突出して設けられている。
【００８１】
図７に示すように、筒状部４１２の外周面４２０には第１乃至第３の表示領域４２１、４２２、４２３が円周方向に並べて設定されている。第１乃至第３の表示領域４２１、４２２、４２３には、印刷により“１”、“２”、“３”の数字の図柄が印刷により表示されている。
【００８２】
図８に示すように、小径リール４０１、４０２…４０６の回転軸４１１の右側は、円輪部３０２の軸受用貫通孔３３１、３３２…３３６に挿通され、軸受用貫通孔３３１、３３２…３３６から右側に突出した先端部にそれぞれ遊星ギア５９１、５９２…５９６…が取り付け固定される。
【００８３】
図９に示すように、小径リール４０１、４０２…４０６の回転軸４１１の左側は、円輪部３０３の軸受用貫通孔３７１、３７２…３７６に挿入される。
【００８４】
図５に示すように、左側の円輪部３０３は、環状の外リング部３５０と、軸受用突出部３５１、３５２…３５６と、連結部３６１、３６２と、ネジ止め部３６３、３６４をポリカーカーボネート等の高い強度と軽量性を有する素材で一体的に形成したものである。
外リング部３５０は、右側の円輪部３０２の外リング部３２０と略同径に形成されている。
【００８５】
外リング部３５０の内周からは、軸受用突出部３５１、３５２…３５６が内側に向けて突出して形成されている。
軸受用突出部３５１、３５２…３５６は、小径リール４０１、４０２…４０６の回転軸４１１をそれぞれ軸支する軸受用貫通孔３７１、３７２…３７６がそれぞれ形成されている。
【００８６】
軸受用突出部３５３、３５６の先端は、連結部３６１、３６２に連続している。
連結部３６１、３６２は、外リング部３５０の中央方向に延びる中央方向延出部３８１と中央方向延出部３８１の先端から折曲部３８２を介して右側に延出する右方向延出部３８３とから構成される。
【００８７】
連結部３６１、３６２の先端側には、互い向き合う方向に折曲されたネジ止め部３６３、３６４がそれぞれ連続して設けられている。ネジ止め部３６３、３６４には、ネジ６２０、６２１がそれぞれ挿入される貫通孔３７７、３７８が形成されている。
軸受用突出部３５１の先端には、遮光片３６７が左方向に突出して形成されている。
【００８８】
連結部材５７１は、一端側にハブ部３１０の左側の嵌合部３２２と嵌合する嵌合部５７２が形成されている。嵌合部５７２の中心にはネジ６１９のネジ部が螺入されるネジ穴５７３が形成されている。連結部材５７１の他端側には、ステッピングモータ５５１の回転軸５５３と嵌合する嵌合穴５７４が形成されている。
【００８９】
太陽ギア５８１は、遊星ギア５９１、５９２…５９６の配列の中心に配置して遊星ギア５９１、５９２…５９６と咬合するようになっている。
太陽ギア５８１の右側面の中心には、ステッピングモータ５６１の回転軸５６３と嵌合する嵌合穴５８２が形成されている。
太陽ギア５８１の右側面における外周近傍の一箇所には、遮光片５８３が左方向に突出して形成されている。
【００９０】
尚、本実施形態の場合、遊星ギア５９１、５９２…５９６の歯数ｚを３０とし、太陽ギア５８１の歯数ｚを９０とし、遊星ギア５９１、５９２…５９６と太陽ギア５８１のギア比を１：３とし、ギア比を小径リール４０１、４０２…４０６の１つ当たりの図柄の数と合わせている。
【００９１】
以下、サブリールユニット３００の組み立て方法について説明する。
【００９２】
サブリールユニット３００の組み立てる場合、まず、作業者は、ネジ６１５、６１６によりフォトセンサ６０１をフレーム本体５１１のネジ止め部５２７にネジ止め固定し、ネジ６１７、６１８によりフォトセンサ６０２を側面板５１２のネジ止め部５３７にネジ止め固定する。
【００９３】
次に、作業者は、連結部材５７１の嵌合部５７２を、右側の円輪部３０２の嵌合部３２２と嵌合させ、円輪部３０２の貫通孔３２１にネジ６１９のネジ部を挿入し、連結部材５７１のネジ穴５７３にネジ６１９のネジ部を螺入し、ネジ６１９を締め付けることで、右側の円輪部３０２に連結部材５７１をネジ止め固定する。
【００９４】
次に、作業者は、小径リール４０１、４０２…４０６の回転軸４１１（図９参照）の左側を円輪部３０３の軸受用貫通孔３７１、３７２…３７６に挿入し、ネジ止め部３６３、３６４の貫通孔３７７、３７８にネジ６２０、６２１をそれぞれ挿入し、右側の円輪部３０２のネジ孔３２３、３２４にネジ６２０、６２１のネジ部を螺入し、ネジ６２０、６２１を締め付けることで、右側の円輪部３０２に左側の円輪部３０３をネジ止め固定する。これにより大径リール３０１の組み立てが完了する。
【００９５】
次に、作業者は、連結部材５７１の嵌合穴５７４をステッピングモータ５５１の回転軸５５３と嵌合させることで、ステッピングモータ５５１の回転軸５５３に大径リール３０１を取り付ける。
【００９６】
次に、作業者は、太陽ギア５８１の嵌合穴５８２をステッピングモータ５６１の回転軸５６３（図７参照）と嵌合させることで、ステッピングモータ５６１の回転軸５６３に太陽ギア５８１を取り付ける。
【００９７】
次に、作業者は、回転軸５６３（図７参照）に取り付けられた状態の太陽ギア５８１を遊星ギア５９１、５９２…５９６の配列の中心に配置して遊星ギア５９１、５９２…５９６と咬合させる。
【００９８】
次に、作業者は、ネジ６１１、６１２、６１３、６１４のネジ部を側面板５１２の貫通孔５３１、５３２、５３３、５３４に挿入し、フレーム本体５１１のネジ止部５２１、５２２、５２３、５２４に螺入して締め付けることでフレーム本体５１１に側面板５１２をネジ止め固定してフレーム５０１を一体化し、サブリールユニット３００を完成させる。
【００９９】
サブリールユニット３００が完成した状態では、大径リール３０１は、ステッピングモータ５５１により回転駆動される。太陽ギア５８１はステッピングモータ５６１により回転駆動される。
【０１００】
小径リール４０１、４０２…４０６は、大径リール３０１に対して太陽ギア５８１回転することで、太陽ギア５８１から遊星ギア５９１、５９２…５９６に回転力が加えられ、それぞれの回転軸４１１を中心にして大径リール３０１に対して回転する。
また、大径リール３０１の回転は、フォトセンサ６０１が大径リール３０１の遮光片３５７を検出することで検出される。
太陽ギア５８１の回転は、フォトセンサ６０２が太陽ギア５８１の遮光片５８３を検出することで検出される。
【０１０１】
次に、ステッピングモータ５５１、５６１を制御する回路系統について図１０を詳細に説明する。
図１０において、演出装置２１０は、電気回路系統として、サブリールユニット３００のステッピングモータ５５１、５６１及びフォトセンサ６０１、６０２と、液晶表示装置４９を備えている。
【０１０２】
サブ制御基板４０は、演出装置２１０の全体動作を集中制御するとともにステッピングモータ５５１、５６１の動作及び液晶表示装置４９に表示する画像を選択するＣＰＵ（マイコン）６３１と、制御用の記憶部としての演出制御用ＲＯＭ６３２及びＲＡＭ６３３と、画像データ用ＲＯＭ６３４と、液晶表示装置駆動回路６３５と、モータ駆動回路６３６とを備えている。尚、説明の簡略化のため、図１０では、スピーカ３２ａ、３２ｂを使った音声演出等、他のゲームの演出に係る制御を行うサブ制御基板４０内の回路系統を省略している。
【０１０３】
サブ制御基板４０のＣＰＵ６３１には、スロットマシン１（図２参照）の主制御基板２０と、演出制御用ＲＯＭ６３２と、ＲＡＭ６３３と、画像データ用ＲＯＭ６３４と、液晶表示装置駆動回路６３５と、モータ駆動回路６３６とが接続されている。
【０１０４】
モータ駆動回路６３６には、ハーネス６０４、６０７を介してフォトセンサ６０１、６０２が接続されている。モータ駆動回路６３６は、フォトセンサ６０１、６０２に電力を供給して検出動作可能な状態にし、フォトセンサ６０１、６０２から出力される検出信号を入力することで、遮光片３５７、５８３が通過するタイミングを検出する。
【０１０５】
そしてモータ駆動回路６３６は、フォトセンサ６０１、６０２の検出結果と、ステッピングモータ５５１、５６１に供給した駆動パルスのパルス数と、サブ制御基板４０の制御信号に基づいてステッピングモータ５５１、５６１を回転させる。
【０１０６】
ＣＰＵ６３１は、演出制御用ＲＯＭ６３２に格納された制御プログラム、スロットマシン１（図２参照）の主制御基板２０からのコマンドデータ及び乱数発生装置２０６（図３参照）が生成した乱数値に基づいて必要なデータをＲＡＭ６３３に記憶し、液晶表示装置駆動回路６３５とモータ駆動回路６３６の制御を行う。
【０１０７】
サブ制御基板４０の演出制御用ＲＯＭ６３２には、入賞役及び役非当選、ボーナスゲームに対応した演出テーブルが記憶され、ＲＡＭ６３３には演出フラグが記憶される。例えばＣＰＵ６３１は、主制御基板２０から入賞役の抽選結果に対応した演出制御のコマンドデータが供給された時点で、主制御基板２０の乱数発生装置２０６（図３参照）が生成した乱数値を取得し、前記入賞役の抽選結果に対応した演出制御用ＲＯＭ６３２の演出テーブルを参照し、得られた乱数値に割り当てられた演出内容（この場合の演出はステッピングモータ５５１、５６１の回転駆動及び液晶表示装置４９に表示する画像）を選択することで、演出の抽選を行う。そして、ＣＰＵ６３１は、乱数値に対応する演出内容をＲＡＭ６３３の演出フラグに記憶する。
【０１０８】
ＣＰＵ６３１は、演出制御用ＲＯＭ６３２に格納された制御プログラム、ＲＡＭ６３３の演出フラグ、主制御基板２０からのコマンドデータが示す入賞役の抽選結果に基づいて、画像データ用ＲＯＭ６３４を記憶された画像データを読み出して液晶表示装置駆動回路６３５が出力する駆動信号の制御を行うとともに、モータ駆動回路６３６が出力する駆動信号の制御を行う。
【０１０９】
ここで、ＣＰＵ６３１は、当選役がベル、リプレイ等の比較的当選率が高い役に当選した場合、入賞役に対応する画像を液晶表示装置４９に表示する。例えばリプレイに当選した場合、ＣＰＵ６３１は、液晶表示装置４９に、リプレイの図柄や青い服を着た人物の画像を乱数発生装置２０６が生成した乱数値に基づいて選択して表示する。
【０１１０】
また、ＣＰＵ６３１は、当選役がチェリー、スイカ、レギュラーボーナス、ビッグボーナス等の比較的当選率が低い役に当選した場合、入賞役に対応する画像を液晶表示装置４９に表示するとともに、モータ駆動回路６３６を制御して入賞役及び乱数発生装置２０６（図３参照）が生成した乱数値に対応する回転制御内容でステッピングモータ５５１、５６１を回転及び停止させる。
【０１１１】
以下、図１１を参照してサブリールユニット３００の詳細な動作について説明する。
【０１１２】
図１に示すスロットマシン１が通常の状態にある場合及びリプレイ等の比較的当選率が高い役に当選した場合、図１０に示すＣＰＵ６３１は、ステッピングモータ５５１、５６１を停止させた状態を維持する。ここで、図１１に示すように、小径リール４０１が最も前方に来る位置、即ち表示窓４３に近い位置に大径リール３０１が停止し、“１”の図柄を表示した第１の表示領域４２１が最も前方に来る位置に小径リール４０１が停止した場合、小径リール４０２は、“３”の図柄を表示した第３の表示領域４２３が大径リール３０１の外周側を向き、小径リール４０３は、“２”の図柄を表示した第２の表示領域４２２が大径リール３０１の外周側を向き、小径リール４０４は、“１”の図柄を表示した第１の表示領域４２１が大径リール３０１の外周側を向き、小径リール４０５は、“３”の図柄を表示した第３の表示領域４２３が大径リール３０１の外周側を向き、小径リール４０６は、“２”の図柄を表示した第２の表示領域４２２が大径リール３０１の外周側を向く。この状態では、遊技者１０は、表示窓４３から小径リール４０１の第１の表示領域４２１の“１”の図柄を視認することになる。
【０１１３】
スロットマシン１が比較的当選率が低い役のチェリーに当選した場合、図１０に示すＣＰＵ６３１は、ステッピングモータ５５１を停止させた状態で、図５及び図７に示すステッピングモータ５６１の回転軸５６３をサブリールユニット３００の右側から見て時計回りの回転方向で回転させる。回転軸５６３の回転力は、太陽ギア５８１、遊星ギア５９１、５９２…５９６を介して小径リール４０１、４０２…４０６に伝達され、小径リール４０１、４０２…４０６は、表示窓４３（図１及び図２参照）側から見て第１乃至第３の表示領域４２１、４２２、４２３（図７参照）が下方に移動する方向に回転する。この状態では、遊技者１０（図１１参照）は、小径リール４０１、４０２…４０６の内、表示窓４３に対向する小径リールの回転を視認することになる。この場合、遊技者１０（図１１参照）が表示窓４３を介して視認する小径リールの図柄は、”１”→“２”→“３”→“１”の順で下方に移動する。
【０１１４】
スロットマシン１が比較的当選率が低い役のスイカに当選した場合、図１０に示すＣＰＵ６３１は、図５及び図７に示すステッピングモータ５５１の回転軸５５３をサブリールユニット３００の右側から見て反時計回りの回転方向で回転させ、図７に示すステッピングモータ５６１の回転軸５６３をサブリールユニット３００の右側から見て反時計回りの回転方向、且つステッピングモータ５５１の回転軸５５３と同じ回転速度で回転させる。この状態では、図５及び図７に示す大径リール３０１がサブリールユニット３００の右側から見て反時計回りで回転する一方、遊星ギア５９１、５９２…５９６を基準位置として見た場合、太陽ギア５８１が回転しないので、大径リール３０１に対して小径リール４０１、４０２…４０６は回転しない。この状態では、遊技者１０は、小径リール４０１、４０２…４０６を回転停止した状態で取り付けた大径リール３０１の回転を視認することになる。この場合、遊技者１０が表示窓４３を介して視認する小径リールの図柄は“１”→ “３” →“２”→“１”の順で下方に移動する。
【０１１５】
スロットマシン１が比較的当選率が低い役のレギュラーボーナスまたはビッグボーナスに当選した場合、図１０に示すＣＰＵ６３１は、図５及び図７に示すステッピングモータ５６１の回転軸５６３を停止させた状態で、ステッピングモータ５５１の回転軸５５３をサブリールユニット３００の右側から見て反時計回りの回転方向で回転させる。この状態では、大径リール３０１がサブリールユニット３００の右側から見て反時計回りで回転する一方、遊星ギア５９１、５９２…５９６を基準位置として見た場合、太陽ギア５８１が回転することになるので、大径リール３０１に対して小径リール４０１、４０２…４０６が右側から見て反時計回りの回転方向で回転する。
【０１１６】
この状態では、遊技者１０は、大径リール３０１の回転し、かつ小径リール４０１、４０２…４０６が回転した状態を視認することになる。この場合、遊技者１０が表示窓４３を介して視認する小径リールの図柄は“１”→“１”と“２”の境界”→“２”→“２”と３”の境界”→“３” →“３”と“１”の境界”→“１”の順で下方に移動する。
【０１１７】
ここで、太陽ギア５８１を停止させ、図１１に示す小径リール４０１が最も前方に来る位置に大径リール３０１が停止し、“１”の図柄を表示した第１の表示領域４２１が最も前方に来る位置に小径リール４０１を停止した状態から図５及び図７に示す大径リール３０１をサブリールユニット３００の右側から見て反時計回りの回転方向で１／３回転させると、小径リール４０３が最も前方に来るとともに小径リール４０３の“２”の図柄を表示した第２の表示領域４２２が最も前方に来て遊技者１０に視認される。この後さらに、大径リール３０１をサブリールユニット３００の右側から見て反時計回りの回転方向で１／３回転させると、小径リール４０５が最も前方に来るとともに小径リール４０５の“３”の図柄を表示した第３の表示領域４２３が最も前方に来て遊技者１０に視認される。即ち、ＣＰＵ６３１（図１０参照）は、大径リール３０１の回転のみで表示窓４３に対向した位置に“１”、“２” 、“３”の図柄を切り換えて表示できる。
【０１１８】
ＣＰＵ６３１（図１０参照）は、レギュラーボーナスに当選した場合、５０％の確率で表示窓４３（図１及び図２参照）に対向した位置に“１”が来る位置に大径リール３０１を停止させ、５０％の確率で表示窓４３（図１及び図２参照）に対向した位置に“２”が来る位置に大径リール３０１を停止させる。
【０１１９】
また、ＣＰＵ６３１（図１０参照）は、ビッグボーナスに当選した場合、５０％の確率で表示窓４３（図１及び図２参照）に対向した位置に“２”が来る位置に大径リール３０１を停止させ、５０％の確率で表示窓４３（図１及び図２参照）に対向した位置に“３”が来る位置に大径リール３０１を停止させる。これにより、サブリールユニット３００を用いてレギュラーボーナスとビッグボーナスの期待度を変化させることができる。
【０１２０】
このような構成及び動作により、スロットマシン１は、抽選に基づいて遊技媒体を払い出す遊技媒体払出手段としてホッパ装置２１を備えるとともに、演出表示装置としてサブリールユニット３００を備える。
【０１２１】
複数の小径リール４０１、４０２…４０６は、複数種類の図柄（“１”、“２” 、“３”）をリール図柄としてそれぞれの外周面４２０に個別に表示する。
【０１２２】
連結部材５７１は、大径リール３０１の回転軸になっている。
大径リール３０１は、円輪状に形成され回転軸を中心とする円周上に前記複数の小径リール４０１、４０２…４０６を並べて回転自在に支持する。
【０１２３】
ステッピングモータ５５１は、前記大径リール３０１の回転軸を中心にして当該大径リール３０１を回転させる大径リール回転駆動手段となっている。
フレーム５０１は、前記大径リール回転駆動手段が取り付け固定される。
【０１２４】
ステッピングモータ５６１と、連結部材５７１と、太陽ギア５８１と、遊星ギア５９１、５９２…５９６は、動力源が前記大径リール３０１の回転から独立して前記フレーム５０１に取り付け固定され、前記複数の小径リール４０１、４０２…４０６に回転力を伝達して前記大径リール３０１に対して前記複数の小径リール４０１、４０２…４０６を回転させる小径リール回転駆動手段となっている。
【０１２５】
前記複数の小径リール４０１、４０２…４０６は、前記外周面４２０に対して固定した回転軸４１１を有している。
前記大径リール３０１は、前記複数の小径リール４０１、４０２…４０６の前記回転軸４１１を回転自在に支持する軸受けとしての軸受用貫通孔３３１、３３２…３３６、３７１、３７２…３７６を有している。
前記小径リール回転駆動手段は、ステッピングモータ５５１、５６１と、太陽ギア５８１と、遊星ギア５９１、５９２…５９６とから構成される。
【０１２６】
カバーケース５６２及びネジ止め部５６４は、ステッピングモータ５６１の本体に含まれる。
ステッピングモータ５６１は、動力源のモータであって、その本体が前記フレーム５０１に固定され当該本体に対して回転軸５６３を回転駆動する。
【０１２７】
太陽ギア５８１は、ステッピングモータ５６１の前記回転軸５６３に取り付け固定されている。
複数の遊星ギア５９１、５９２…５９６は、前記複数の小径リール４０１、４０２…４０６の前記回転軸にそれぞれ取り付け固定され、前記太陽ギア５８１と咬合する。
【０１２８】
ＣＰＵ６３１及びモータ駆動回路６３６は、前記大径リール回転駆動手段及び前記小径リール回転駆動手段を制御することで、前記大径リール３０１及び前記太陽ギア５８１を同期して回転させるとともに、前記大径リール３０１及び前記太陽ギア５８１を独立して回転させる制御回路となっている。
【０１２９】
図１乃至図１１に示した本発明の一実施形態によれば、複数の小径リール４０１、４０２…４０６は、ステッピングモータ５５１により回転される大径リール３０１に回転自在に支持された状態で、複数種類の図柄をリール図柄としてそれぞれの外周面４２０に個別に表示し、ステッピングモータ５６１と、連結部材５７１と、太陽ギア５８１と、遊星ギア５９１、５９２…５９６は、前記大径リール３０１の回転から独立した位置に動力源のステッピングモータ５６１を配置し、前記複数の小径リール４０１、４０２…４０６に回転力を伝達して前記大径リール３０１に対して前記複数の小径リール４０１、４０２…４０６を回転させるので、リールとしての動作の軽快感を低下させることなく、図柄を表示する面積を拡大するとともに、図柄の切り換え動作を多彩にすることができる。
【０１３０】
また、図１乃至図１１に示した本発明の一実施形態によれば、前記大径リール回転駆動手段を例えば電動モータのステッピングモータ５５１により容易に実現できるとともに、前記小径リール回転駆動手段をステッピングモータ５６１と、連結部材５７１と、太陽ギア５８１と、遊星ギア５９１、５９２…５９６により容易に実現できる。
【０１３１】
また、図１乃至図１１に示した本発明の一実施形態によれば、ＣＰＵ６３１及びモータ駆動回路６３６が前記大径リール３０１と前記太陽ギア５８１を同期して回転させることで、前記大径リール３０１に対する前記複数の小径リール４０１、４０２…４０６の回転を停止させた状態で前記大径リール３０１を回転させることができ、ＣＰＵ６３１及びモータ駆動回路６３６が前記太陽ギア５８１を回転させ前記大径リール３０１の停止させることで、前記大径リール３０１を回転を停止させた状態で前記大径リール３０１に対して前記複数の小径リール４０１、４０２…４０６を回転させることができ、ＣＰＵ６３１及びモータ駆動回路６３６が前記大径リール３０１を回転させ前記太陽ギア５８１を停止させることで、前記大径リール３０１を回転させると同時に前記大径リール３０１に対して前記複数の小径リール４０１、４０２…４０６の回転させることができるので、ＣＰＵ６３１及びモータ駆動回路６３６による簡単な制御で図柄の切り換え動作を多彩にすることができる。
【０１３２】
以下、本発明に係る遊技機の好適な他の実施形態をスロットマシンを例に図面を参照して説明する。尚、図１２はスロットマシン７０１の外観構造を表した正面図である。図１３はサブリールユニット８００の分解斜視図である。図１４はサブリールユニット８００の斜視図である。尚、図１２乃至図１４では、図１乃至図１１に示した実施形態と同じ構成要素には同じ符号を付して説明を省略している。
【０１３３】
図１２において、スロットマシン７０１は、パネル面７４１の表示窓４２の右隣に、略四角形の透明な表示窓７４３が形成されている。
スロットマシン１は、このような表示窓７４３を通して外装筐体２内に設けられているサブリールユニット８００の大径リール８０１及び複数の小径リール４０１、４０２…４０６（図１４参照）が目視可能になっている。
【０１３４】
図１３において、サブリールユニット８００は、大径リール８０１と、複数の小径リール４０１、４０２…４０６と、フレーム５０１と、ステッピングモータ５５１、５６１と、連結部材５７１と、太陽ギア５８１と、遊星ギア５９１、５９２…５９６と、フォトセンサ６０１、６０２と、ネジ６１１、６１２…６２１とから構成されている。
【０１３５】
大径リール８０１は、右側及び左側の円輪部８０２、８０３と環状部材８０４により構成されている。右側及び円輪部８０２の外周面の左側には、環状部材８０４の左側開口の縁部が接着される段部８０５が形成されている。左側及び円輪部８０３の外周面の右側には、環状部材８０４の右側開口の縁部が接着される段部８０６が形成されている。これにより、環状部材８０４は、前記大径リール８０１の複数の小径リール４０１、４０２…４０６よりも外周側に配置した状態で前記大径リール８０１に接着剤により固着される。また、環状部材８０４は、複数の小径リール４０１、４０２…４０６をそれぞれ外周側に露出される複数の窓部８１１、８１２…８１６を有する。
【０１３６】
環状部材８０４は、隣り合う前記窓部８１１、８１２…８１６の間の外周面に、リール図柄８２１、８２２…８２６（図１４参照）を表示している。リール図柄８２１には小役のチェリーを用い、リール図柄８２２には小役のベルを用い、リール図柄８２６（図１４参照）には、小役のリプレイに対応するブルーべリーを用いている。
【０１３７】
本実施形態の場合、スロットマシン７０１がリプレイ、チェリー、ベル等の役に当選した場合、ＣＰＵ６３１（図１０参照）は、例えば５０％の確率で、ステッピングモータ５５１の回転軸５５３をサブリールユニット３００の右側から見て反時計回りの回転方向で秒間回転させ、ステッピングモータ５６１の回転軸５６３をサブリールユニット３００の右側から見て反時計回りの回転方向、且つステッピングモータ５５１の回転軸５５３と同じ回転速度で例えば３秒間回転させた後、リール図柄８２１、８２２…８２６の内、役に当選した役の図柄が表示窓７４３の後側に来るように、ステッピングモータ５５１、５６１を停止させる。これ以外の動作は、図１乃至図１１に示した実施形態と同様である。
【０１３８】
図１２乃至図１４に示した本発明の他の実施形態によれば、前記大径リール８０１の複数の小径リール４０１、４０２…４０６よりも外周側に環状部材８０４を配置し、環状部材８０４の複数の窓部８１１、８１２…８１６から複数の小径リール４０１、４０２…４０６を露出させる構成にしたので、複数の小径リール４０１、４０２…４０６のリール図柄を強調できる。
【０１３９】
また、図１２乃至図１４に示した本発明の他の実施形態によれば、環状部材８０４は、隣り合う前記複数の窓部８１１、８１２の間の外周面に、リール図柄を表示したので、図柄を表示する面積をさらに拡大できる。
【０１４０】
尚、図１乃至図１４に示した本発明の一実施形態及び他の実施形態では、小径リール４０１、４０２…４０６の１つ当たりの図柄の数を３とし、遊星ギア５９１、５９２…５９６と太陽ギア５８１のギア比を１：３としたが、小径リール４０１、４０２…４０６の１つ当たりの図柄の数を３以外の数、例えば４でもよく、小径リールの数を４にした場合、遊星ギア５９１、５９２…５９６と太陽ギア５８１のギア比を１：４にすることで、ギア比を小径リール４０１、４０２…４０６の１つ当たりの図柄の数と合わせることができる。
【産業上の利用可能性】
【０１４１】
本発明は、スロットマシンに限らず、メダルを使用するアレンジボール等の他の遊技機に応用することができる。
【図面の簡単な説明】
【０１４２】
【図１】図１は、本発明の一実施形態によるスロットマシンの外観構造を表した斜視図である。
【図２】図２は、本発明の一実施形態によるスロットマシンの外観構造を表した正面図である。
【図３】図３は、本発明の一実施形態による前扉を開放した状態におけるスロットマシン１の内部構造を表した図である。
【図４】図４は、本発明の一実施形態によるスロットマシンの制御システムを表したブロック図である。
【図５】図５は、本発明の一実施形態によるサブリールユニットの分解斜視図である。
【図６】図６は、本発明の一実施形態によるサブリールユニットの斜視図である。
【図７】図７は、本発明の一実施形態によるサブリールユニットの正面側から見た断面図である。
【図８】図８は、本発明の一実施形態による大径リール及びその周辺部の後方右斜め下から見た斜視図である。
【図９】図９は、本発明の一実施形態による大径リール及びその周辺部の後方左斜め下から見たから見た斜視図である。
【図１０】図１０は、本発明の一実施形態によるサブリールユニットを制御する回路系統を示すブロック図である。
【図１１】図１１は、本発明の一実施形態による複数の小径リールの配置を説明する説明図である。
【図１２】図１２は、本発明の他の実施形態によるスロットマシンの外観構造を表した正面図である。
【図１３】図１３は、本発明の他の実施形態によるサブリールユニットの分解斜視図である。
【図１４】図１４は、本発明の他の実施形態によるサブリールユニットの斜視図である。
【符号の説明】
【０１４３】
１…スロットマシン、２…外装筐体、３…前扉、４…上部パネル部、
５…下部パネル部、６…メダル受皿部、６ａ…メダル受皿、
７…操作卓、８…開口、２０…主制御基板、２１…ホッパ装置、
２２…補助貯留部、２３…主電源装置、２４…電源装置基板、
２５…外部集中端子基板、３０…発光駆動部、
３２ａ、３２ｂ…スピーカ、３３…中央表示基板、
３４…メダル選別装置、３４ａ…メダルセンサ、３５…ガイド部材、
３６…ガイド部材、３７…ガイド部材、３８ａ、３８ｂ…スピーカ、
３９…放電灯点灯装置、４０…サブ制御基板、４１…パネル面、
４２、４３…表示窓、４６…演出用照明部、
４８ａ、４８ｂ…演出用放音部、４９…液晶表示装置、
４９ａ…表示窓、５０…パネル板、５１…表示パネル、
６１…メダル払出口、
６２ａ、６２ｂ…左右の演出用放音部、７１…メダル投入部、
７２…メダル投入口、７３、７４…ベットボタン、
７５…スタートレバー、７６ａ、７６ｂ、７６ｃ…ストップボタン、
７７…精算ボタン、７８…鍵穴、８０、９０…基板ケース、
８１、８２…ブラケット部材、１００…メインリールユニット、
１０１ａ、１０１ｂ、１０１ｃ…リール、２００…ＣＰＵ、
２０１…記憶部、２０２…システムプログラム、
２０３…メダルクレジット手段、２０４…入賞抽選テーブル、
２０５…内部抽選フラグ、２０６…乱数発生装置、２１０…演出装置、
３００…サブリールユニット、３０１…大径リール、
３０２、３０３…円輪部、３１０…ハブ部、
３１１、３１２、３１３、３１４、３１５、３１６…スポーク部、
３２０…外リング部、３２１…貫通孔、３２２…嵌合部、
３２３、３２４…ネジ孔、
３３１、３３２、３３３，３３４、３３５、３３６…軸受用貫通孔、
３５０…外リング部、
３５１、３５２、３５３、３５４、３５５、３５６…軸受用突出部、
３５７…遮光片、３６１、３６２…連結部、
３６３、３６４…ネジ止め部、３６７…遮光片、
３７７、３７８…貫通孔、３８１…中央方向延出部、
３８２…折曲部、３８３…右方向延出部、
３７１、３７２…３７６…軸受用貫通孔、
４０１、４０２、４０３，４０４、４０５、４０６…小径リール、
４１１…回転軸、４１２…筒状部、４１２…右側面部、４２０…外周面、
４２１、４２２、４２３…表示領域、５０１…フレーム、
５１１…フレーム本体、５１２…側面板、５１３…上壁、
５１４…底壁、５１５…左壁、
５２１、５２２、５２３、５２４…ネジ止部、５２５…段部、
５２６…貫通孔、５２７…ネジ止め部、
５３１、５３２、５３３、５３４…貫通孔、５３５…貫通部、
５３７…ネジ止め部、５５１、５６１…ステッピングモータ、
５５２…カバーケース、５５３…回転軸、５５４…ネジ止め部、
５５５…ハーネス、５６２…カバーケース、５６３…回転軸、
５６４…ネジ止め部、５７１…連結部材、５７２…嵌合部、
５７３…ネジ穴、５７４…嵌合穴、５８１…太陽ギア、
５８２…嵌合穴、５８３…遮光片、
５９１、５９２…５９６…遊星ギア、６０１、６０２…フォトセンサ、
６０３…隙間、６０４…ハーネス、６０５…ネジ止め部、
６０６…隙間、６０７…ハーネス、６０８…ネジ止め部、
６１１、６１２…６２１…ネジ、６３１…ＣＰＵ、
６３２…演出制御用ＲＯＭ、６３３…ＲＡＭ、
６３４…画像データ用ＲＯＭ、６３５…液晶表示装置駆動回路、
６３６…モータ駆動回路、７０１…スロットマシン、
７４１…パネル面、７４３…表示窓、８００…サブリールユニット、
８０１…大径リール、８０２、８０３…円輪部、
８０４…環状部材、８０５、８０６…段部、
８１１、８１２、８１３、８１４、８１５、…８１６…窓部、
８２１、８２２、８２６…リール図柄
【図１】
2008228948.tif 000003
【図２】
2008228948.tif 000004
【図３】
2008228948.tif 000005
【図４】
2008228948.tif 000006
【図５】
2008228948.tif 000007
【図６】
2008228948.tif 000008
【図７】
2008228948.tif 000009
【図８】
2008228948.tif 000010
【図９】
2008228948.tif 000011
【図１０】
2008228948.tif 000012
【図１１】
2008228948.tif 000013
【図１２】
2008228948.tif 000014
【図１３】
2008228948.tif 000015
【図１４】
2008228948.tif 000016